(57)【特許請求の範囲】
【請求項１】
融雪シートまたは集熱シートの流下経路上に熱媒体を供給する流体分配供給手段にして、
流下してきた熱媒体を堰き止め、中間部に流体を集め貯溜させながらオリフィスから流出させる上段堰と、
流出した熱媒体の流れを左右に分割する前記オリフィスに対面して配置された山形の分流堰と、
この分流堰の両側に形成されていて、分流堰により分割された熱媒体の動きを緩衝し滞溜させる緩衝区域と、
これら緩衝区域から流出する熱媒体を受け複数の通路から熱媒体を融雪シートまたは集熱シート上に流出させる下段堰とを有している流体分配供給手段。
【請求項２】
請求項１に記載された流体分配供給手段において、前記上段堰は、前記融雪シートまたは集熱シートを流下してきた熱媒体と新たに供給される熱媒体を混合撹拌する流体分配供給手段。
【発明の詳細な説明】
【０００１】
【産業上の利用分野】
本発明は、流体を分流して分配するための流体分配供給手段に係る。
【０００２】
【従来の技術】
並列する複数の流下経路に液体を供給する場合、通常は穿孔ノズルを設けたヘッダパイプを用い各々の流下経路に散水がされている。それぞれのノズルの流量は一定しないが簡便な散水方式である。
流量を揃える要求があれば、各ノズルにバルブを取り付けバルブ毎の流量調節を行う必要がある。
【０００３】
具体的には、図１に示す瓦棒屋根用の融雪シート（Ｓ）の場合、屋根１列に相当する約４１０ミリ幅の範囲に４つの流下経路（Ｆ）が設けられている。従来は、これら流下経路に相対してバルブを計４個（図示せず）設置したヘッダパイプ（Ｐ）が付設されていた。ヘッダパイプは屋根面に沿い上下に４〜６メートルの間隔を置いて多段配置され、それぞれのパイプから温水を放出して融雪が行われる。本件出願人の施工した、縦１２メートル、幅２０メートルの瓦棒屋根では、上下６メートル間隔で付設した２列のヘッダパイプに３２０個のバルブが使われた。
【０００４】
【発明が解決しようとする課題】
従来の給水方法では多数のバルブを用いなくてはならない。多数のバルブ設置は甚だしく面倒で手間のかかる作業であり、経費の嵩む欠点がある。
【０００５】
実際に前述の設備を稼動してみて、フィルタを通過した微細なシルト粒子が弁座に付着堆積し、時間が経過するにつれバルブの流量が変動し、完全に閉塞するものも出現した。維持管理面で未だに課題を残している。
【０００６】
【課題を解決するための手段】
前述したバルブ使用に関わる問題点を解決するため、平板的な形態で、上段堰により流体を受け入れる収容スペースを形作り、上段堰のオリフィスから流出した流体を山形をした分流堰により左右に振り分けて両側の滞溜区域に送り、これら滞溜区域の各々から流出した流体を下段堰で受けて複数の開口から放出するように構成し、流体を平面的に管理することとした。
【０００７】
【作用】
上段堰はバルブを経て供給される流体、または上方から流下してきた流体を堰き止める。上段堰が受けた流体はすぐに流出せず、適当量が貯溜される。上段堰がバルブを経て供給される流体と上方から流下してきた流体を堰き止める場合、両方の流体は撹拌され混合される。流体は貯溜区域の中間部に集まり、オリフィスから整然と流出していく。
流出オリフィスを通る流体は分流堰に衝突し流れは左右に分割される。分流堰の中央が流体の流れの中心にあれば流れはほぼ等しく左右に分割され、いずれか一方に偏って位置していれば、分割される流量はその比率に応じて変化する。
【０００８】
分流堰に沿った流速の早い流れは分流堰両側の区域内で減速され、動きは緩衝される。流体はこの緩衝区域内に滞溜し、緩衝区域から出て下側に位置する下段堰に平均的に供給される。下段堰には複数の通路が設けてあり、それぞれの通路に固有の流量で流体は流出していく。
【０００９】
【実施例】
以下、添付図面に沿って本発明の具体的例につき詳細に説明する。
図１は、流体分配供給手段の一例とその使用形態を示している。説明の便宜上、流体分配供給手段は融雪シートに使用されている。冒頭でも説明したように、融雪シートＳは、４つの流下経路Ｆを備えた面状平面発熱体を構成している。熱源として用いられる流体は、例えば、ボイラー温水または地下水であり、融雪水そのものも熱媒体として使用される。なお、図示のシートは温水を採取する集熱シートと称することもできる。
流体分配供給手段１は、ヘッダパイプＰに隣接して融雪シートＳ上に接着固定される。
【００１０】
流体分配供給手段１は、図示の例では、合成樹脂、ゴム、セラミック、セメント等を使用して構成した平板状構造体からなり、上流側に上段堰２が配置され、中段に分流堰３を置き、下流側に下段堰４が据えられている。
流体はヘッダパイプＰに設置したバルブＶを通じて供給される。このバルブＶと融雪シートＳは、バルブを挟んで両側２枚の融雪シートに流体を供給することのできる位置関係にある。バルブから可撓性チューブＣを通じて送られてくる流体は、流体分配供給手段１を通じて流下する途中に４つに分割される。従って、流体分配供給手段１である１枚のプレートが４つのバルブの役割を果たしていることになる。この配置例によれば、先の瓦棒屋根の場合、バルブの使用総数は４０個であり従来の同規模のものに比べて８分の１の数ですむ。
【００１１】
流体分配供給手段１は、流体を受け取り、中間部に流体を集める流体の貯溜区域を形成した上段堰２を備えている。上段堰２は流体の流出オリフィス５を備えている。流出オリフィス５には、流出する流体を分割する山形の分流堰３が対面して配置されている。分流堰に沿って移動する流体は分流堰の両側に位置する緩衝区域６に流入する。緩衝区域は移動してくる流体を滞溜させ、動きを緩衝する働きをしている。
【００１２】
緩衝区域から流出する流体を受ける位置に下段堰４が配置されている。下段堰４の形態は、図１、図２、図４のものが共通し、いずれも山形をしている。図３と図５に示す下段堰４は直線堰の形をしている。
これら下段堰の通路の数と配置は選択事項である。
【００１３】
図４は、融雪シートの途中位置に配置した流体分配供給手段１の構造と配置形態を示している。基本的には図１のものと同じであるが、貯溜区域の上部が開放しており、シートに沿って流下してくる流体は貯溜区域内に流入し、上段堰２により堰き止められる。同時に、ヘッダパイプＰからバルブＶを経て流体が供給され、シート上部から流入してきた流体とバルブからの流体は混合攪拌される。
【００１４】
図４に示す流体分配供給手段１は、図１のものが基盤状であるのと異なり、シート状の基材から構成されている。このシート状基材に吸水性のあるもの、例えば、布地を使用した場合、流体は表面に良く拡散し、横に広がった状態で貯溜する傾向を示す。
【００１５】
【発明の効果】
前述のごとく構成することにより、本来はバルブを用いて個別に供給していた操作を１枚の物品で代用でき、費用が安くすみ、工事も簡単に行える。また、構造体が外部に露出しているため、点検と修理を簡単に行うことができる。
【図面の簡単な説明】
【図１】流体分配供給手段の使用形態を示す斜視図。
【図２】流体分配供給手段の構造を示す平面図。
【図３】流体分配供給手段の構造の変更例を示す平面図。
【図４】流体分配供給手段の他の使用形態を示す斜視図。
【図５】流体分配供給手段のその他の構造例を示す斜視図。
【符号の説明】
１    流体分配供給手段
２    上段堰
３    分流堰
４    下段堰
５    流出オリフィス
６    緩衝区域
Ｐ    ヘッダパイプ
Ｖ    バルブ
Ｃ    チューブ
Ｆ    流下経路
Ｓ    融雪シート
【図１】
0003932374.tif 000002
【図２】
0003932374.tif 000003
【図３】
0003932374.tif 000004
【図４】
0003932374.tif 000005
【図５】
0003932374.tif 000006